(57)【特許請求の範囲】
【請求項１】
吸収性コアを含む吸収性本体と、展開状態における輪郭が砂時計形状で実質的に縦長の外包材とを具備し、該吸収性本体は、該外包材の幅方向中央部に配されており、腹側部、背側部及びそれらの間に位置する股下部を有するパンツ型吸収性物品であって、
前記外包材における前記腹側部左右一対の両側部と、該外包材における前記背側部左右一対の両側部とが、重ね合わされた状態でシールされ、一対のサイドシール部が形成されており、
一対の前記サイドシール部それぞれは、前記外包材における前記腹側部の側縁及び前記背側部の一部に亘るシール部、又は前記外包材における前記背側部の側縁及び前記腹側部の一部に亘るシール部から形成されており、
前記シール部は、前記サイドシール部に沿って間隔をあけて複数形成されており、
複数の前記シール部は、それぞれ、横長形状を有しており、前記外包材における前記腹側部の前記側縁又は該外包材における前記背側部の前記側縁に対して、交差するように形成されており、
前記サイドシール部において、前記シール部は、前記外包材における前記腹側部の前記側縁及び前記背側部の前記側縁それぞれに形成されており、
前記サイドシール部における各部の寸法が下記１）〜３）の通りであるパンツ型吸収性物品。
１）前記腹側部の前記側部と前記背側部の前記側部とが重なっている幅が１０〜３０ｍｍ。
２）前記腹側部の前記側縁を跨ぐ前記シール部の、該腹側部の該側縁から前記背側部の前記側部側への延出長さが１５〜３５ｍｍ。
３）前記背側部の前記側縁を跨ぐ前記シール部の、該背側部の該側縁から前記腹側部の前記側部側への延出長さが１５〜３５ｍｍ。
【請求項２】
前記シール部は、前記サイドシール部に沿って、千鳥状又は規則的に配置されるパターンに配されている請求項１記載のパンツ型吸収性物品。
【請求項３】
前記シール部は、前記外包材における前記腹側部の前記側縁及び前記背側部の前記側縁に亘って形成されている請求項１記載のパンツ型吸収性物品。
【請求項４】
前記外包材における前記腹側部の両側部及び前記背側部の両側部それぞれは熱融着性繊維を含んでおり、前記シール部は、ヒートシール又は超音波シールにより形成されている請求項１〜３の何れか一項に記載のパンツ型吸収性物品。
【請求項５】
前記外包材は、本体固定部と、前記腹側部における該本体固定部の両側縁部に連設された腹側伸縮性パネル部と、前記背側部における該本体固定部の両側縁部に連設された背側伸縮性パネル部とからなり、前記外包材は、おむつ着用状態における前後方向において同じ側に位置する、前記腹側伸縮性パネル部と前記背側伸縮性パネル部とが、おむつの側部において一部を重ねた状態で接合されて、前記サイドシール部が形成されている請求項１〜４の何れか一項に記載のパンツ型吸収性物品。
【発明の詳細な説明】
【技術分野】
【０００１】
本発明は、パンツ型吸収性物品に関する。
【背景技術】
【０００２】
従来のパンツ型吸収性物品には、フィット性及び通気性を改善するために、通気性を有する伸縮性パネル部を使用したパンツ型使い捨ておむつがある。
例えば、特許文献１には、腹側部と背側部とその間に位置する股下部とに区分されるパンツ型使い捨ておむつであって、腹側部の両側部には通気性を有する一対の腹側伸縮性パネル部が設けられており、背側部の両側部には通気性を有する一対の背側伸縮性パネル部が設けられており、長手方向において同じ側に位置する、腹側伸縮性パネル部と背側伸縮性パネル部とが、おむつの側部において一部重ねた状態で接着されて、サイドシール部が形成されており、サイドシール部は、腹側伸縮性パネル部の側縁部と背側伸縮性パネル部の側縁部とが、複数の個々に離間するクラスターにより接着されて形成されており、サイドシール部の非接着部分が、サイドシール部の長さの２０％から６５％までの範囲にあるパンツ型使い捨ておむつが開示されている。
【０００３】
特許文献１のおむつにおいて、サイドシール部は、腹側伸縮性パネル部の側縁部と背側伸縮性パネル部の側縁部とが、おむつ着用者の肌の面に積層するように重ねられ接着されているので、従来のサイドシール部のように、おむつ着用者の外方に向って出っ張っておらず、見た目にもすっきりしており、おむつの上に衣服を着用した場合にも邪魔にならない。しかし、サイドシール部における個々のクラスターは、腹側伸縮性パネル部の側縁と背側伸縮性パネル部の側縁との間の部分に形成されているため、該両側縁は、他方の伸縮性パネル部とは接着されていないので、サイドシール部に沿う自由端となっている。そのため、おむつ着用中に、おむつ外面に位置する側縁部が、何かに引っかかりめくれてしまう可能性がある。また、おむつ着用者が乳幼児又は認知症の人の場合には、おむつ外面に位置する側縁部を自ら摘んで引っ張り、サイドシール部を引き裂いてしまうおそれもある。更に、サイドシール部に前述した自由端があることは、外観上の見栄えが劣る場合もある。
【０００４】
【特許文献１】特開２００２−３６９８４２号公報
【発明の開示】
【発明が解決しようとする課題】
【０００５】
従って、本発明の目的は、着用中に破れるおそれがなく、出っ張らず且つ見栄えの良いサイドシール部を有するパンツ型吸収性物品を提供することにある。
【課題を解決するための手段】
【０００６】
本発明は、吸収性コアを含む吸収性本体と、展開状態における輪郭が砂時計形状で実質的に縦長の外包材とを具備し、該吸収性本体は、該外包材の幅方向中央部に配されており、腹側部、背側部及びそれらの間に位置する股下部を有するパンツ型吸収性物品であって、前記外包材における前記腹側部左右一対の両側部と、該外包材における前記背側部左右一対の両側部とが、重ね合わされた状態でシールされ、一対のサイドシール部が形成されており、一対の該サイドシール部それぞれは、前記外包材における前記腹側部の側縁及び前記背側部の一部に亘るシール部、又は前記外包材における前記背側部の側縁及び前記腹側部の一部に亘るシール部から形成されているパンツ型吸収性物品を提供することにより、上記目的を達成したものである。
【発明の効果】
【０００７】
本発明のサイドシール部を有するパンツ型使い捨ておむつ等のパンツ型吸収性物品によれば、サイドシール部が、おむつ着用中に破れるおそれがなく、出っ張らず且つ見栄えが良い。
【発明を実施するための最良の形態】
【０００８】
以下、本発明のパンツ型吸収性物品の好ましい一実施形態について、図１〜図３を参照しながら説明する。
【０００９】
本実施形態のパンツ型吸収性物品１としてのパンツ型使い捨ておむつは、図１及び２に示すように、液透過性の表面シート２、液不透過性（液難透過性を含む）の裏面シート３及びこれら両シート間に介在された液保持性の吸収性コア４を含む吸収性本体５と、展開状態における輪郭が砂時計形状で実質的に縦長の外包材１０とを具備し、吸収性本体５は、該外包材１０の幅方向中央部に配されている。
このおむつ１は、着用時に着用者の腹側に配される腹側部Ａ、着用者の背側に配される背側部Ｂ及びそれらの間に位置する股下部Ｃを有する。腹側部Ａ、背側部Ｂ及び股下部Ｃは、展開状態のおむつ１を、その長手方向（図２の上下方向）の全長を略３等分するように３領域に区分したときの各領域である。展開状態とは、着用者の左右側部に位置する部分を剥離又は切断して、図２に示すように、おむつ１を平面状に展開した状態をいう。
【００１０】
また、本実施形態のおむつ１は、外包材１０における腹側部Ａの左右一対の両側部と、外包材１０における背側部Ｂの左右一対の両側部とが、重ね合わされた状態でシールされ、図１に示すように、一対のサイドシール部１４，１４が形成されており、一対のサイドシール部１４，１４それぞれは、外包材１０における腹側部Ａの側縁及び背側部Ｂの一部に亘るシール部１５と、外包材１０における背側部Ｂの側縁及び腹側部Ａの一部に亘るシール部１５とから形成されている。
【００１１】
本実施形態のおむつ１について詳述すると、吸収性本体５は縦長矩形形状をなし、図２に示すように、その長手方向を、展開状態におけるおむつ１の長手方向に一致させて、腹側部Ａから背側部Ｂに亘るように、ホットメルト型接着剤等の公知の接合手段により外装体１０の幅方向中央部に接合されている。
【００１２】
外包材１０は、図２に示すように、縦長矩形形状の本体固定部１１と、腹側部Ａにおける本体固定部１１の両側縁部に連設された腹側伸縮性パネル部１２，１２と、背側部Ｂにおける本体固定部１１の両側縁部に連設された背側伸縮性パネル部１３，１３とからなり、おむつ展開状態において、全体として、股下部Ｃが括れた砂時計状をなしている。
外包材１０は、おむつ着用状態における前後方向において同じ側に位置する、腹側伸縮性パネル部１２，１２と背側伸縮性パネル部１３，１３とが、おむつの側部において一部を重ねた状態でシールされて、図１に示すように、サイドシール部１４，１４が形成されている。また、このシールによって、ウエスト開口部７及び一対のレッグ開口部８，８が形成されている。
本実施形態において、外包材１０における腹側部Ａの両側部である腹側伸縮性パネル部１２，１２及び背側部Ｂの両側部である背側伸縮性パネル部１３，１３それぞれは、熱融着性繊維を含んでいる。
【００１３】
本体固定部１１は、実質的に非伸縮性のシート材からなり、該シート材としては、各種の不織布（単層又は多層不織布）や、不織布とフィルムの積層物、不織布と織り布の積層物等を用いることができる。
【００１４】
腹側伸縮性パネル部１２及び背側伸縮性パネル部１３は、展開状態のおむつにおける少なくとも幅方向に伸縮性を有するものであり、それぞれに用い得る材料としては、エラストマーシート等を挙げることができる。本実施形態において、該エラストマーシートは、熱融着性を有している。
【００１５】
おむつ着用時には、着用者の動きにより、本体固定部１１における腹側部Ａと背側部Ｂとが、互いに近づいたり離れたりするため、腹側伸縮性パネル部１２と背側伸縮性パネル部１３とが一体となって形成するおむつ側部は、サイドシール部１４と略直交する方向に伸縮する。従って、サイドシール部１４には、腹側伸縮性パネル部１２と背側伸縮性パネル部１３との接合状態を、引き裂くような力が働く。
【００１６】
本実施形態のおむつ１のサイドシール部１４について、更に説明する。サイドシール部１４において、腹側伸縮性パネル部１２と背側伸縮性パネル部１３とは、図３に示すように、腹側伸縮性パネル部１２の側縁１２Ａを跨ぎ且つ背側伸縮性パネル部１３の側縁１３Ａを跨ぐシール部１５により接合されている。サイドシール部１４は、前記側縁１２Ａ、１３Ａそれぞれと略平行に形成されている。
【００１７】
本実施形態において、シール部１５は、ヒートシール又は超音波シールにより形成されている。腹側伸縮性パネル部１２及び背側伸縮性パネル部１３それぞれは、熱融着性を有しているので、前述したシール手段により、簡便に互いを接合することができる。
【００１８】
シール部１５は、図３に示すように、サイドシール部１４において、外包材１０における腹側部Ａの腹側伸縮性パネル部１２の側縁１２Ａ及び背側部Ｂの背側伸縮性パネル部１３の側縁１３Ａそれぞれに形成されている。
シール部１５は、外包材１０における腹側部Ａの側縁１２Ａ及び背側部Ｂの背側伸縮性パネル部１３の一部に亘っており且つ外包材１０における背側部Ｂの側縁１３Ａ及び腹側部Ａの腹側伸縮性パネル部１２の一部に亘っており、更に側縁１２Ａ及び側縁１３Ａに亘って形成されている。シール部１５は、全体として、腹側部Ａの腹側伸縮性パネル部１２の一部から背側部Ｂの背側伸縮性パネル部１３の一部まで、両側縁１２Ａ、１３を跨いで形成されている。
【００１９】
また、シール部１５は、サイドシール部１４に沿って間隔をあけて複数形成されている。具体的には、シール部１５は、サイドシール部１４に沿って、等間隔に配されており、規則的に配置されるパターンに配されている。
【００２０】
サイドシール部１４において、前記側縁１２Ａは、背側伸縮性パネル部１３と密着して部分的に接合されており、また前記側縁１３Ａは、腹側伸縮性パネル部１２と密着して部分的に接合されており、両側縁１２Ａ，１３Ａそれぞれは、サイドシール部１４に沿う自由端を実質的に形成しないようになっている。
また、シール部１５同士が離間して形成されているので、サイドシール部１４の剛性が高くならず、おむつ側部の柔軟性が確保されている。
【００２１】
シール部１５は、図３に示すように、幅狭の横長矩形形状を有しており、腹側伸縮性パネル部１２の側縁１２Ａ及び背側伸縮性パネル部１３の側縁１３Ａそれぞれに対して、略直交するように形成されている。
図３は、おむつ着用者の左側に位置するおむつ側部を示しており、腹側伸縮性パネル部１２の側部が、背側伸縮性パネル部１３の側部の上に外側から重なっている。尚、背側伸縮性パネル部１３の側部が、腹側伸縮性パネル部１２の上に外側から重なっていても良い。
【００２２】
シール部１５の長手方向は、おむつ着用状態におけるおむつ側部の伸縮方向と一致している、即ちサイドシール部１４に引き裂く力が働く向きである。このように、シール部１５は、サイドシール部１４を引き裂く力の方向に沿って、縦長に形成されているので、腹側伸縮性パネル部１２と背側伸縮性パネル部１３との接合強度が高められている。
【００２３】
サイドシール部１４において、腹側伸縮性パネル部１２の側部と背側伸縮性パネル部１３の側部とが重なっている幅は、１０〜３０ｍｍ、特に１５〜２５ｍｍであることが好ましい。重なっている幅が１０ｍｍ以上であることが、サイドシール部１４の接合強度を確保する上で好ましい。一方、重なっている幅が３０ｍｍ以下であることが、おむつ側部の嵩張りを抑え、装着性を確保する上で好ましい。
【００２４】
前述した重なり幅を有するサイドシール部１４において、両側縁１２Ａ，１３Ａそれぞれを、腹側伸縮性パネル部１２又は背側伸縮性パネル部１３と密着させ、サイドシール部１４に沿う側縁１２Ａ，１３Ａの自由端を形成しないためには、シール部１５が、以下に説明する寸法及び配置を有していることが好ましい。
【００２５】
シール部１５の幅は、３〜３５ｍｍ、特に５〜３０ｍｍであることが好ましい。シール部１５の幅を３ｍｍ以上にすることにより、シール部における接合強度を確保できる。一方、シール部１５の幅が３５ｍｍ以下であることが、おむつ使用後にサイドシール部１４を引き裂き易くなり且つおむつ側部の剛性を抑え、装着性を確保する上で好ましい。尚、シール部１５の幅は、シール部１５の長手方向と直交する方向の長さである。
【００２６】
シール部１５が、腹側伸縮性パネル部１２の側縁１２Ａを跨ぎ、腹側伸縮性パネル部１２側から背側伸縮性パネル部１３側に延出しているシール部１５の部分の長さは、１５〜３５ｍｍ、特に２０〜３０ｍｍであることが好ましい。同様に、シール部１５が、背側伸縮性パネル部１３の側縁１３Ａを跨ぎ、背側伸縮性パネル部１３側から腹側伸縮性パネル部１２側に延出しているシール部１５の部分の長さについても同様である。
【００２７】
シール部１５同士が、サイドシール部１４に沿って離間する間隔は、１〜２７ｍｍ、特に３〜２０ｍｍであることが好ましい。シール部１５同士が離間する間隔が、この範囲であることにより、口開きしにくく、肌触りも良好である。
【００２８】
また、サイドシール部１４において、ウエスト開口部７側の端縁と該端縁に最も近接するシール部１５との間のサイドシール部１４に沿った長さは、１０ｍｍ以下、特に３ｍｍ以下であることが、前記端縁近傍に側縁１２Ａ，１３Ａの自由端が実質的に形成されない上で好ましい。同様の観点から、サイドシール部１４において、レッグ開口部８側の端縁と該端縁に最も近接するシール部１５との間のサイドシール部１４に沿った長さは、１０ｍｍ以下、特に３ｍｍ以下であることが好ましい。
【００２９】
前述した本実施形態のおむつ１の製造において、サイドシール部１４を加工する際には、前述したシール部１５を、容易に作製することができる。ヒートシール加工を用いる場合には、例えば、腹側部Ａの腹側伸縮性パネル部１２の一部から背側部Ｂの背側伸縮性パネル部１３の一部まで、両側縁１２Ａ、１３を跨ぐように形成した縦長の凸部が、周面に規則的に配置されたエンボスロール及びそれに対向配置されたアンビルロールを備えたヒートシール加工装置を用いればよい。また、超音波シール加工を用いる場合には、例えば、前述したのと同様に形成された縦長のヘッド形状を有する超音波シール加工装置を用いれば良い。
【００３０】
本実施形態のおむつ１について、更に説明すると、おむつ１における吸収性本体５の長手方向の両側には、図２に示すように、一対の防漏カフ６，６が形成されている。防漏カフ６は、それぞれ、吸収性本体５及びおむつ１の長手方向に延びるように形成されている。防漏カフ６は、吸収性本体５又はその近傍の外装体１０に接合された防漏カフ形成用シート、防漏カフ６の自由端近傍に伸長状態で固定された防漏カフ形成用の弾性部材６１を備えている。
【００３１】
次に、本実施形態のおむつ１の各部を形成する材料について説明する。腹側伸縮性パネル部１２及び背側伸縮性パネル部１３それぞれを形成する材料としては、ポリプロピレン、ポリエチレンなどのポリオレフィン系樹脂を含む、エラストマーフィルム、エラストマー不織布等が好ましい。
【００３２】
本実施形態のおむつ１を形成する表面シート２、裏面シート３、吸収性コア４、前記防漏カフ形成用シート及び弾性部材６１としては、従来の吸収性物品に用いられている各種材料を特に制限なく用いることができる。
【００３３】
前述した本実施形態のおむつ１によれば、両側縁１２Ａ，１３Ａは、両伸縮性パネル部１２，１３と密着して部分的に接合されており、実質的に自由端を形成しないため、おむつ着用中にサイドシール部１４が、何かに引っかかったり、破られるおそれはない。また、腹側伸縮性パネル部１２の側部と背側伸縮性パネル部１３の側部とが、おむつ着用者の肌に積層するように重ねられ接合されているので、出っ張らず且つ見栄えが良い。
【００３４】
次に、前述した本実施形態のおむつ１の変形例を、図４〜図７を参照しながら以下に説明する。以下に述べる変形例について、特に説明しない点については、前述した実施形態に関して詳述した説明が適宜適用される。また、図４〜図７において、図１〜図３と同じ部材に同じ符号を付してある。尚、図７に示す形態は、本発明の参考例である。
【００３５】
図４に示す形態を有するおむつ１において、シール部１５は、腹側伸縮性パネル部１２の側縁１２Ａ及び背側伸縮性パネル部１３の側縁１３Ａそれぞれに対して、斜めに交差するように形成されている。
【００３６】
図５（ａ）〜（ｅ）に示す形態のおむつ１は、サイドシール部１４において、シール部１５が、腹側伸縮性パネル部１２の側縁１２Ａ及び背側伸縮性パネル部１３の側縁１３Ａそれぞれに形成されている。本実施形態において、シール部１５は、一方の側縁１２Ａから他方の側縁１３Ａまでを跨いではいない。即ち、前記側縁１２Ａ又は前記側縁１３Ａの何れか一方を跨ぐシール部１５は、他方の側縁を跨いでいない。
図５（ａ）〜（ｅ）に示すサイドシール部１４を有するおむつは、両側縁１２Ａ、１３Ａ間にシール部分が形成されていないので、シール部１５の幅、シール部１５同士の間隔又はシール部１５の数等を調整し、サイドシール部１４全体としての接合強度を確保すれば、おむつ側部における通気性及び柔軟性を高める上で好ましい。
【００３７】
図５（ａ）及び（ｂ）に示す形態のおむつ１は、シール部１５が、サイドシール部１４に沿って、千鳥状パターンに配されている。図５（ａ）に示すおむつ１では、シール部１５が、両側縁１２Ａ，１３Ａそれぞれに対して略直交する向きに形成されており、図５（ｂ）に示すおむつ１では、シール部１５が、両側縁１２Ａ，１３Ａそれぞれに対して斜めに交差する向きに形成されている。
【００３８】
図５（ｃ）に示す形態のおむつ１は、シール部１５が、両側縁１２Ａ，１３Ａに並んで形成されている。
【００３９】
図５（ｄ）に示す形態のおむつ１は、シール部１５が、サイドシール部１４に沿って、規則的に配置されるパターンに配されている。詳述すると、側縁１２Ａ及び背側伸縮性パネル部１３の一部に亘る３つのシール部１５，１５，１５からなる一方の複合シール部と、側縁１３Ａ及び腹側伸縮性パネル部１２の一部に亘る２つのシール部１５，１５からなる他方の複合シール部とが、サイドシール部１４に沿って、交互に配置されている。
【００４０】
図５（ｅ）に示す形態のおむつ１は、シール部１５の平面視形状が円形状であり、両側縁１２Ａ，１３Ａに並んで形成されている。
図５（ｅ）に示すおむつ１のシール部１５は、サイドシール部１４と直交する方向に沿って、シール部１５の幅が変化している。
【００４１】
図６に示す形態のおむつ１は、腹側伸縮性パネル部１２と背側伸縮性パネル部１３とが、別部材からなる伸縮性パネル部１６を介在して接合されている。伸縮性パネル部１６と腹側伸縮性パネル部１２とは、前述した本実施形態と同様のサイドシール部１４が形成されて接合されている。同様に、伸縮性パネル部１６と背側伸縮性パネル部１３とが接合されている。
【００４２】
また、図７（ａ）及び（ｂ）に示す形態のおむつ１は、シール部１５が、腹側伸縮性パネル部１２の側縁１２Ａのみに形成されている。図７(ａ)に示すおむつ１では、シール部１５の平面視形状は、楕円形状であり、その長手方向は、両側縁１２Ａ，１３Ａと直交している。図７(ｂ)に示すおむつ１では、シール部１５の平面視形状は、円形状である。
【００４３】
本発明のパンツ型吸収性物品は、前述した実施形態に制限されることなく、本発明の趣旨を逸脱しない限り適宜変更が可能である。
例えば、本発明のパンツ型吸収性物品において、外包材１０における腹側部Ａに位置する部分の両側部及び背側部Ｂに位置する部分の両側部それぞれは、伸縮性を有していなくても良い。
また、図７（ａ）及び（ｂ）に示す形態のおむつ１において、シール部１５が、背側伸縮性パネル部１３の側縁１３Ａに形成されていても良い。
また、前述した一の実施形態における説明省略部分及び一の実施形態のみが有する部分は、すべて適宜相互に利用できる。
【００４４】
本実施形態のパンツ型の使い捨ておむつは、幼児用のおむつ、大人用のおむつ、又は大人用の尿失禁用おむつであっても良い。
【図面の簡単な説明】
【００４５】
【図１】図１は、本発明のパンツ型吸収性物品の一実施形態としてのパンツ型使い捨ておむつを示す斜視図である。
【図２】図２は、図１に示すおむつをサイドシール部で切り離して展開し、平面状に展開した状態を一部破断して示す平面図である。
【図３】図３は、図１に示すおむつのサイドシール部を示す平面図である。
【図４】図４は、図１に示すおむつの変形例の要部を示す平面図である。
【図５】図５（ａ）〜（ｅ）は、図１に示すおむつの他の変形例の要部を示す平面図である。
【図６】図６は、図１に示すおむつの更に他の変形例の要部を示す平面図である。
【図７】図７（ａ）及び（ｂ）は、図１に示すおむつの更にまた他の変形例の要部を示す平面図である。
【符号の説明】
【００４６】
１  パンツ型使い捨ておむつ（パンツ型吸収性物品）
２  表面シート
３  裏面シート
４  吸収性コア
５  吸収性本体
６  防漏カフ
７  ウエスト開口部
８  レッグ開口部
１０  外包材
１１  本体固定部
１２  腹側伸縮性パネル部
１３  背側伸縮性パネル部
１４  サイドシール部
１５  シール部
Ａ  腹側部
Ｂ  背側部
Ｃ  股下部
【図１】
0004671876.tif 000002
【図２】
0004671876.tif 000003
【図３】
0004671876.tif 000004
【図４】
0004671876.tif 000005
【図５】
0004671876.tif 000006
【図６】
0004671876.tif 000007
【図７】
0004671876.tif 000008